(57)【要約】【課題】底部に収容した物品が外部にこぼれ落ちることを防止できるネスティングラックを提供する。【解決手段】前側ほど幅広に構成される底部１と、底部１の前端部の左右両端部に設けられる左右一対の前側支柱２，３と、底部１の後端部の左右両端部に設けられる左右一対の後側支柱４，５と、左右一対の後側支柱４，５の上端部同士を連結する後側連結部６と、左側の前側支柱２の上端部と後側連結部６の左端部とを連結する左側連結部７と、右側の前側支柱３の上端部と後側連結部６の右端部とを連結する右側連結部８と、左右一対の後側支柱４，５の間を覆う後側パネル部９と、左側の前側支柱２と左側の後側支柱４との間を覆う左側パネル部１０と、右側の前側支柱３と右側の後側支柱５との間を覆う右側パネル部１１とを備える。【選択図】  図１
0003216790.tif 000002
【実用新案登録請求の範囲】
【請求項１】
前側ほど幅広に構成される底部と、該底部の前端部の左右両端部に設けられる左右一対の前側支柱と、該底部の後端部の左右両端部に設けられる左右一対の後側支柱と、前記左右一対の後側支柱の上端部同士を連結する後側連結部と、左側の前記前側支柱の上端部と前記後側連結部の左端部とを連結する左側連結部と、右側の前記前側支柱の上端部と前記後側連結部の右端部とを連結する右側連結部と、前記左右一対の後側支柱の間を覆う後側パネル部と、左側の前記前側支柱と左側の前記後側支柱との間を覆う左側パネル部と、右側の前記前側支柱と右側の前記後側支柱との間を覆う右側パネル部とを備えたことを特徴とするネスティングラック。
【請求項２】
前記左側パネル部が、前記左側の後側支柱に蝶番を介して上下軸心回りで揺動可能に取り付けられ、前記右側パネル部が、前記右側の後側支柱に蝶番を介して上下軸心回りで揺動可能に取り付けられ、前記左側パネル部及び前記右側パネル部を揺動させて前記後側パネル部の前面に重ね合わせることによって、下側のネスティングラックに対して上側のネスティングラックを前方にずらした状態で順次積み重ね可能に構成されていることを特徴とする請求項１に記載のネスティングラック。
【請求項３】
前記後側パネル部及び前記左側パネル部並びに前記右側パネル部のそれぞれは、矩形状で環状に構成された外側枠部と、該外側枠部の内側に格子状に組んだ多数の棒状部材とを備えていることを特徴とする請求項１又は２に記載のネスティングラック。
【考案の詳細な説明】
【技術分野】
【０００１】
本考案は、物品を収容して保管することができ、しかも段積み及びネスティングが可能なネスティングラックに関する。
【背景技術】
【０００２】
上記ネスティングラックは、前側ほど幅広に構成される底部と、該底部の前端部の左右両端部に設けられる左右一対の前側支柱と、該底部の後端部の左右両端部に設けられる左右一対の後側支柱と、左側の前記前側支柱の上端と左側の前記後側支柱の上端とを連結する左側連結部と、右側の前記前側支柱の上端と右側の前記後側支柱の上端とを連結する右側連結部と、前記左右一対の後側支柱の上端同士を連結する後側連結部とを備えて構成されている（例えば、特許文献１参照）。
【０００３】
このように構成されるネスティングラックは、前側ほど幅広に構成される底部を備えていることから、不要時には、下側のネスティングラックに対して上側のネスティングラックを前方にずらした状態で順次積み重ねてネスティングした状態で保管することができるようになっている。
【先行技術文献】
【特許文献】
【０００４】
【特許文献１】特開２０１２−６２１３２号公報
【考案の概要】
【考案が解決しようとする課題】
【０００５】
上記構成のネスティングラックの左右側部及び後部が、外枠のみを備えるだけであるため、底部に多数の物品を積み上げている場合に、地震発生に伴う振動発生時や例えばフォークリフトでネスティングラックを搬送中に荷崩れを起こしてしまい、底部から外部にこぼれ落ちてしまうことがある。そのため、再度底部に物品を積み上げる面倒な作業が必要になり、早期の改善が要望されている。
【０００６】
そこで、本考案は、かかる事情に鑑みてなされたもので、底部に収容した物品が外部にこぼれ落ちることを防止できるネスティングラックを提供することを課題とする。
【課題を解決するための手段】
【０００７】
本考案に係るネスティングラックは、前側ほど幅広に構成される底部と、該底部の前端部の左右両端部に設けられる左右一対の前側支柱と、該底部の後端部の左右両端部に設けられる左右一対の後側支柱と、前記左右一対の後側支柱の上端部同士を連結する後側連結部と、左側の前記前側支柱の上端部と前記後側連結部の左端部とを連結する左側連結部と、右側の前記前側支柱の上端部と前記後側連結部の右端部とを連結する右側連結部と、前記左右一対の後側支柱の間を覆う後側パネル部と、左側の前記前側支柱と左側の前記後側支柱との間を覆う左側パネル部と、右側の前記前側支柱と右側の前記後側支柱との間を覆う右側パネル部とを備えたことを特徴としている。
【０００８】
本考案によれば、ネスティングラックの後側から外部へ物品がこぼれ落ちることを後側パネル部によって防止される。また、ネスティングラックの左側から外部へ物品がこぼれ落ちることを左側パネル部によって防止される。また、ネスティングラックの右側から外部へ物品がこぼれ落ちることを右側パネル部によって防止される。したがって、ネスティングラックから外部へ物品がこぼれ落ちることを防止できる。
【０００９】
また、本考案に係るネスティングラックは、前記左側パネル部が、前記左側の後側支柱に蝶番を介して上下軸心回りで揺動可能に取り付けられ、前記右側パネル部が、前記右側の後側支柱に蝶番を介して上下軸心回りで揺動可能に取り付けられ、前記左側パネル部及び前記右側パネル部を揺動させて前記後側パネル部の前面に重ね合わせることによって、下側のネスティングラックに対して上側のネスティングラックを前方にずらした状態で順次積み重ね可能に構成されていてもよい。
【００１０】
上記のように、上下軸心回りで揺動可能に取り付けられた左側パネル部及び右側パネル部を揺動させて後側パネル部の前面に重ね合わせることによって、下側のネスティングラックに対して上側のネスティングラックを前方にずらした状態で順次積み重ねる時に、下側のネスティングラックの左側パネル部及び右側パネル部に上側ネスティングラックの左側パネル部及び右側パネル部が当接することがなく、複数のネスティングラックを上下方向に積み重ねてネスティングした状態で収納することができる。
【００１１】
また、本考案に係るネスティングラックは、前記後側パネル部及び前記左側パネル部並びに前記右側パネル部のそれぞれは、矩形状で環状に構成された外側枠部と、該外側枠部の内側に格子状に組んだ多数の棒状部材とを備えていてもよい。
【００１２】
上記のように、後側パネル部及び左側パネル部並びに右側パネル部のそれぞれを、外側枠部と、外側枠部の内側に格子状に組んだ多数の棒状部材とを備えたものから構成することによって、軽量化を図りながらも、必要な強度を備えたネスティングラックを構成することができる。
【考案の効果】
【００１３】
以上の如く、本考案に係るネスティングラックによれば、後側パネル部、左側パネル部、右側パネル部を備えることによって、底部に収容した物品が外部にこぼれ落ちることを防止できるネスティングラックを提供することができる。
【図面の簡単な説明】
【００１４】
【図１】本考案のネスティングラックの斜視図である。
【図２】同ネスティングラックの左側パネル部と右側パネル部とを揺動して後側パネル部の前面に重ね合わせている途中の状態を示す斜視図である。
【図３】図２を上から見た平面図である。
【図４】同ネスティングラックの左側パネル部と右側パネル部とを揺動して後側パネル部の前面に完全に重ね合わせた状態を示す斜視図である。
【図５】図４を上から見た平面図である。
【図６】同ネスティングラックの２台を積み重ねてネスティングした状態を示す斜視図である。
【図７】同ネスティングラックの２台を段積みした状態を示す斜視図である。
【図８】左側パネル部を前側支柱に保持する保持手段の構成を示す要部の斜視図である。
【考案を実施するための形態】
【００１５】
以下、本考案に係るネスティングラックについて、図面に基づいて説明する。なお、以下において、図面を前方から見た時に、図の左側を左側とし、図の右側を右側とし、図の上側を上側とし、図の下側を下側として説明する。このネスティングラックは、金属製で構成され、図１に示すように、底部１と、左右一対の前側支柱２，３と、左右一対の後側支柱４，５と、後側連結部６と、左側連結部７と、右側連結部８と、後側パネル部９と、左側パネル部１０と、右側パネル部１１とを主要構成部材として備えている。したがって、前方と上方とが開放されたネスティングラック１００になっている。ここでは、ネスティングラック１００を金属製としているが、略同等の強度を有するものであれば、どのような材料で構成してもよい。
【００１６】
底部１は、前側ほど幅広に構成された略台形状で板状の金属板から構成されているが、環状の外側枠と、外側枠の内側に格子状に組んだ多数の棒状部材とを備えたものであってもよい。ここでは、底部１を略台形状に構成されているが、上下方向に積み重ねてネスティングできる形状であれば、どのような形状であってもよい。
【００１７】
左右一対の前側支柱２，３は、内部中空の角柱状で金属製の部材からなり、底部１の前端の左右両端面に当接した状態で溶接されている。また、前側支柱２，３それぞれの上端には、上方に突出する半球状の凸部２Ａ，３Ａが形成されている。凸部２Ａ，３Ａは、ネスティングラック１００を上下方向で段積みした時に、下側に位置するネスティングラック１００の前側支柱２，３それぞれの下端に形成される上方に凸となる凹部（図示せず）に係合して下側のネスティングラック１００に対して上側のネスティングラック１００が位置ずれすることがないようにしている。また、ネスティングラックは、物品を収容することができ、しかも段積み及びネスティングが可能に構成され、更には、物品を収容した状態で例えばフォークリフトにより移動できるように構成される。そのため、底部１と床面又は地面との間にフォークリフトのフォークを挿し込むことができるように、底部１を前側支柱２，３及び後側支柱４，５の下端よりも少し上方位置で取り付けている。
【００１８】
左右一対の後側支柱４，５は、内部中空の角柱状で金属製の部材からなり、底部１の後端面のうちの左右端に当接した状態で溶接されている。
【００１９】
後側連結部６は、内部中空の角柱状で金属製の部材からなり、左右一対の後側支柱４，５の上端同士を連結する。具体的には、後側連結部６を、後側支柱４，５の上端に架け渡した状態で溶接している。また、後側連結部６の後面の左右端部のそれぞれに、上方に突出する板状の当接部材１２を備えている。ネスティングラック１００の２台を上下方向に段積みした時（図７参照）に、左右一対の後側支柱４，５の下端部の後面が当接部材１２，１２に当接することによって、上側のネスティングラック１００が下側のネスティングラック１００に対して後方へ移動することを阻止する。
【００２０】
左側連結部７は、内部中空の角柱状で金属製の部材からなり、左側の前側支柱２の上端部と後側連結部６の左端部とを連結する。具体的には、左側連結部７の両端を、左側の前側支柱２の上端部の後面と後側連結部６の左端の前面とに当接した状態で溶接している。
【００２１】
右側連結部８は、内部中空の角柱状で金属製の部材からなり、右側の前側支柱３の上端部と後側連結部６の右端部とを連結する。具体的には、右側連結部８の両端を、右側の前側支柱３の上端部の後面と後側連結部６の右端の前面とに当接した状態で溶接している。
【００２２】
後側パネル部９は、左右一対の後側支柱４，５の間を覆うように設けられている。具体的には、矩形状で環状に構成された第１外側枠部１３と、第１外側枠部１３の内側を左右幅方向で略同一幅を有する３つの空間に仕切る上下方向に延びる２本の第１補強部材１４，１４と、３つの空間に格子状に組んだ多数の金属製の第１棒状部材１５とを備えている。
【００２３】
第１外側枠部１３は、内部中空の角柱状で金属製の４本の第１〜第４部材１３Ａ，１３Ｂ，１３Ｃ，１３Ｄからなり、第１部材１３Ａは、それの両端が左右一対の後側支柱４，５の上端部の左右の端面にそれぞれ横向きで当接された状態で溶接されている。また、第２部材１３Ｂは、それの両端が左右一対の後側支柱４，５の下端部の左右の端面にそれぞれ横向きで当接された状態で溶接されている。また、第３部材１３Ｃは、それの両端が上下に位置する第１部材１３Ａの左端部の下面と第２部材１３Ｂの左端部の上面とに縦向きで当接された状態で溶接されている。また、第４部材１３Ｄは、それの両端が上下に位置する第１部材１３Ａの右端部の下面と第２部材１３Ｂの右端部の上面とに縦向きで当接された状態で溶接されている。
【００２４】
２本の第１補強部材１４，１４は、内部中空の角柱状で金属製の部材からなり、第１部材１３Ａの下面と第２部材１３Ｂの上面とに縦向きで当接された状態で溶接されている。
【００２５】
左側パネル部１０は、左側の前側支柱２と左側の後側支柱４との間を覆うように設けられている。具体的には、矩形状で環状に構成された第２外側枠部１６と、第２外側枠部１６の内側を左右幅方向で略同一幅を有する２つの空間に仕切る上下方向に延びる１本の第２補強部材１７と、２つの空間に格子状に組んだ多数の金属製の第２棒状部材１８とを備えている。
【００２６】
第２外側枠部１６は、内部中空の角柱状で金属製の４本の第１〜第４部材１６Ａ，１６Ｂ，１６Ｃ，１６Ｄからなり、上側に位置する第１部材１６Ａの長さ方向両端の下面と下側に位置する第２部材１６Ｂの長さ方向両端の上面とに第３部材１６Ｃと第４部材１６Ｄとを当接した状態で溶接することにより構成されている。
【００２７】
第２補強部材１７は、内部中空の角柱状で金属製の部材からなり、第１部材１６Ａの下面と第２部材１６Ｂの上面とに縦向きで当接された状態で溶接されている。
【００２８】
右側パネル部１１は、左側パネル部１０と同一構成であり、右側の前側支柱３と右側の後側支柱５との間を覆うように設けられている。具体的には、矩形状で環状に構成された第３外側枠部１９と、第３外側枠部１９の内側を左右幅方向で略同一幅を有する２つの空間に仕切る上下方向に延びる１本の第３補強部材２０と、２つの空間に格子状に組んだ多数の金属製の第３棒状部材２１とを備えている。
【００２９】
第３外側枠部１９は、内部中空の角柱状で金属製の４本の第１〜第４部材１９Ａ，１９Ｂ，１９Ｃ，１９Ｄからなり、上側に位置する第１部材１９Ａの長さ方向両端の下面と下側に位置する第２部材１９Ｂの長さ方向両端の上端とに第３部材１９Ｃ（図２参照）と第４部材１９Ｄとを当接した状態で溶接することにより構成されている。
【００３０】
第３補強部材２０は、内部中空の角柱状で金属製の部材からなり、第１部材１９Ａの下面と第２部材１９Ｂの上面とに縦向きで当接された状態で溶接されている。
【００３１】
また、左側パネル部１０が、左側の後側支柱４に上下一対の蝶番（平蝶番）２２，２２を介して上下軸心Ｘ１回りで揺動可能に取り付けられている。また、右側パネル部１１も、左側パネル部１０と同様に、右側の後側支柱５に上下一対の蝶番２２，２２を介して上下軸心回りで揺動可能に取り付けられている。
【００３２】
左側パネル部１０が取り付けられている各蝶番２２は、左側の後側支柱４の左端の前面にビス止めされる固定側の第１金具と、第１金具に対して軸部を介して回動自在に連結され左側パネル部１０の第４部材１６Ｄの内面にビス止めされる第２金具とを備えている。
【００３３】
右側パネル部１１が取り付けられている各蝶番２２は、左側パネル部１０が取り付けられている各蝶番２２と同様に、右側の後側支柱５の右端の前面にビス止めされる固定側の第１金具と、第１金具に対して軸部を介して回動自在に連結され右側パネル部１１の第４部材１９Ｄの内面にビス止めされる第２金具とを備えている。
【００３４】
上記のように、上下軸心Ｘ１，Ｘ２回りで揺動可能に取り付けられた左側パネル部１０及び右側パネル部１１を、図２及び図３に示すように、揺動させる。引き続き、左側パネル部１０及び右側パネル部１１を揺動させて、図４及び図５に示すように、後側パネル部９の前面に重ね合わせることができる。図では、左側パネル部１０を右側パネル部１１よりも先に揺動させているが、右側パネル部１１を左側パネル部１０よりも先に揺動させてもよい。そして、左側パネル部１０及び右側パネル部１１を後側パネル部９の前面に重ね合わせているので、下側のネスティングラック１００に対して上側のネスティングラック１００を前方にずらした状態で順次積み重ねてネスティングした時（図６参照）に、下側のネスティングラック１００の左側パネル部１０及び右側パネル部１１に上側のネスティングラック１００の左側パネル部１０及び右側パネル部１１が当接することがなく、ネスティングラック１００を上下方向に積み重ねてネスティングした状態で収納することができる。つまり、図１に示すように、左側パネル部１０及び右側パネル部１１の前側部分が、左側連結部７及び右側連結部８の左右端よりも内側に突出しているため、左側パネル部１０及び右側パネル部１１を揺動させて後側パネル部９の前面に重ね合わせなければ、左側パネル部１０及び右側パネル部１１の前側部分が邪魔になり、ネスティングラック１００を上下方向に積み重ねて収納することができないのである。
【００３５】
図１に示す左側パネル部１０及び右側パネル部１１の揺動位置で左側パネル部１０及び右側パネル部１１を揺動しないように保持する保持解除自在な左右一対の保持手段を設けて実施してもよい。左右一対の保持手段は、いずれも同一であるため、左側パネル部１０についてのみ説明する。また、各保持手段は、上下方向２箇所に備えており、上側の保持手段のみ説明する。図８に示すように、前側支柱２の後面の上下方向上部に溶接された第１円筒状部材２３と、左側パネル部１０の第３部材１６Ｃの前面の上下方向上部に溶接され、かつ、図１及び図８に示す左側パネル部１０の揺動位置で前記第１円筒状部材２３の上端に上下方向で重なると共に第１円筒状部材２３の径と略同一径を有する第２円筒状部材２４と、図１及び図８に示す左側パネル部１０の揺動位置で上下方向に重なり合った第１円筒状部材２３と第２円筒状部材２４とに亘って上方から差し込まれて第１円筒状部材２３と第２円筒状部材２４とを固定するピン部材２５とを備えて、保持手段を構成している。ピン部材２５は、左側パネル部１０の第３部材１６Ｃの前面の上下方向上端部に溶接された固定金具２６に連結されたチェーン２７の下端に連結されている。このチェーン２７は、左側パネル部１０の揺動位置で上下方向に重なり合った第１円筒状部材２３と第２円筒状部材２４とに亘ってピン部材２５を上方から差し込み可能な長さに構成されている。したがって、図１及び図８に示す左側パネル部１０の揺動位置でピン部材２５を上方から第１円筒状部材２３及び第２円筒状部材２４に差し込むことによって左側パネル部１０を前側支柱２に揺動しないように保持し（実線参照）、差し込まれたピン部材２５を抜くことによって左側パネル部１０の前側支柱２への固定を解除できるようにしている。
【００３６】
図７では、ネスティングラック１００の２台を上下方向に段積みした状態を示している。この時、上側のネスティングラック１００の前側支柱２，３それぞれの下端の凹部（図示せず）が下側のネスティングラック１００の凸部２Ａ，３Ａに係合するとともに、左右一対の後側支柱４，５の下端部の後面が当接部材１２，１２に当接することによって、下側のネスティングラック１００に対して上側のネスティングラック１００が位置決めされる。
【００３７】
尚、本考案に係るネスティングラックは、上記実施形態に限定されるものではなく、本考案の要旨を逸脱しない範囲で種々の変更が可能である。
【００３８】
前記実施形態では、ネスティングラックの前方が開放状態であったが、ネスティングラックの前方に前側パネル部を開閉可能に取り付けて実施してもよい。
【００３９】
また、前記実施形態では、左側パネル部１０及び右側パネル部１１を後側支柱４，５に揺動可能に取り付ける蝶番として平蝶番を用いたが、スライド蝶番やスプリング蝶番等を用いてもよい。
【符号の説明】
【００４０】
１…底部、２，３…前側支柱、２Ａ，３Ａ…凸部、４，５…後側支柱、６…後側連結部、７…左側連結部、８…右側連結部、９…後側パネル部、１０…左側パネル部、１１…右側パネル部、１２…当接部材、１３…第１外側枠部、１３Ａ，１３Ｂ，１３Ｃ，１３Ｄ…第１〜第４部材、１４…第１補強部材、１５…第１棒状部材、１６…第２外側枠部、１６Ａ，１６Ｂ，１６Ｃ，１６Ｄ…第１〜第４部材、１７…第２補強部材、１８…第２棒状部材、１９…第３外側枠部、１９Ａ，１９Ｂ，１９Ｃ，１９Ｄ…第１〜第４部材、２０…第３補強部材、２１…第３棒状部材、２２…蝶番、２３…第１円筒部材、２４…第２円筒部材、２５…ピン部材、２６…固定金具、２７…チェーン、１００…ネスティングラック、Ｘ１，Ｘ２…上下軸心
【図１】
0003216790.tif 000003
【図２】
0003216790.tif 000004
【図３】
0003216790.tif 000005
【図４】
0003216790.tif 000006
【図５】
0003216790.tif 000007
【図６】
0003216790.tif 000008
【図７】
0003216790.tif 000009
【図８】
0003216790.tif 000010